(57)【要約】【課題】送信品質の劣化を抑制しつつ、消費電力の増大を抑制する。【解決手段】無線装置は、第１の送信回路と、第２の送信回路と、第１の送信回路のオン又はオフのタイミングと第２の送信回路のオン又はオフのタイミングとの間の時間間隔と、第１の送信回路又は第２の送信回路における信号品質値の劣化量と、自装置の消費電力との対応関係を記憶する記憶部と、送信信号の信号品質値を測定する測定部と、測定された送信信号の信号品質値を規格値以下の範囲に収めるための劣化量を算出し、記憶部を参照して、算出された劣化量に対応し且つ消費電力を最小にする時間間隔だけ第１の送信回路のオン又はオフのタイミングをずらす制御部とを有する。【選択図】図１
2018129578.tif 000002
【特許請求の範囲】
【請求項１】
第１のアンテナから送信される送信信号の送信処理を実行する第１の送信回路と、
第２のアンテナから送信される送信信号の送信処理を実行する第２の送信回路と、
前記第１の送信回路のオン又はオフのタイミングと前記第２の送信回路のオン又はオフのタイミングとの間の時間間隔と、前記第１の送信回路又は前記第２の送信回路における信号品質値の劣化量と、自装置の消費電力との対応関係を記憶する記憶部と、
前記第１のアンテナ又は前記第２のアンテナから送信される送信信号の信号品質値を測定する測定部と、
前記測定された送信信号の信号品質値を規格値以下の範囲に収めるための劣化量を算出し、前記記憶部を参照して、前記算出された劣化量に対応し且つ消費電力を最小にする時間間隔だけ前記第１の送信回路のオン又はオフのタイミングをずらす制御部と
を有することを特徴とする無線装置。
【請求項２】
前記制御部は、前記第１のアンテナ及び前記第２のアンテナから信号が送信及び受信されないギャップ区間において、前記記憶部を参照して、前記第１の送信回路のオン又はオフのタイミングをずらすことを特徴とする請求項１に記載の無線装置。
【請求項３】
前記第１のアンテナから受信される受信信号の受信処理を実行する第１の受信回路と、
前記第２のアンテナから受信される受信信号の受信処理を実行する第２の受信回路と
をさらに有し、
前記記憶部は、前記第１の受信回路のオン又はオフのタイミングと前記第２の受信回路のオン又はオフのタイミングとの間の時間間隔と、前記第１の受信回路又は前記第２の受信回路における信号品質値の劣化量と、自装置の消費電力との対応関係をさらに記憶し、
前記測定部は、前記第１のアンテナ又は前記第２のアンテナから受信される受信信号の信号品質値を測定し、
前記制御部は、前記測定された受信信号の信号品質値を規格値以下の範囲に収めるための劣化量を算出し、前記記憶部を参照して、前記算出された劣化量に対応し且つ消費電力を最小にする時間間隔だけ前記第１の受信回路のオン又はオフのタイミングをずらすことを特徴とする請求項１に記載の無線装置。
【請求項４】
前記制御部は、前記第１のアンテナ及び前記第２のアンテナから信号が送信及び受信されないギャップ区間において、前記記憶部を参照して、前記第１の受信回路のオン又はオフのタイミングをずらすことを特徴とする請求項３に記載の無線装置。
【請求項５】
前記第１のアンテナ又は前記第２のアンテナから送信される送信信号、又は前記第１のアンテナ又は前記第２のアンテナから受信される受信信号の変調方式を推定する推定部をさらに有し、
前記記憶部は、複数の変調方式と、各変調方式に応じて異なる規格値との対応関係をさらに記憶し、
前記制御部は、前記記憶部を参照して、前記推定された変調方式に対応する規格値を選択し、選択された規格値以下の範囲に前記測定された送信信号の信号品質値又は受信信号の信号品質値を収めるための劣化量を算出することを特徴とする請求項１〜４のいずれか一つに記載の無線装置。
【請求項６】
第１のアンテナから送信される送信信号の送信処理を実行する第１の送信回路と、第２のアンテナから送信される送信信号の送信処理を実行する第２の送信回路とを有する無線装置によって実行されるタイミング制御方法であって、
前記第１のアンテナ又は前記第２のアンテナから送信される送信信号の信号品質値を測定し、
前記測定された送信信号の信号品質値を規格値以下の範囲に収めるための劣化量を算出し、
前記第１の送信回路のオン又はオフのタイミングと前記第２の送信回路のオン又はオフのタイミングとの間の時間間隔と、前記第１の送信回路又は前記第２の送信回路における信号品質値の劣化量と、自装置の消費電力との対応関係を記憶する記憶部を参照して、前記算出された劣化量に対応し且つ消費電力を最小にする時間間隔を特定し、
前記特定された時間間隔だけ前記第１の送信回路のオン又はオフのタイミングをずらす
処理を有することを特徴とするタイミング制御方法。
【発明の詳細な説明】
【技術分野】
【０００１】
本発明は、無線装置及びタイミング制御方法に関する。
【背景技術】
【０００２】
近年、ネットワーク容量の増加を図るため、複数のアンテナを利用する通信が検討されている。複数のアンテナを利用して通信を行う無線装置には、各アンテナに対応する送信回路及び受信回路が搭載されることが多い。
【０００３】
ところで、例えばＴＤＤ（Time  Division  Duplex）方式で動作する無線装置では、信号が送信及び受信されないギャップ（ＧＡＰ）区間において、各アンテナに対応する送信回路及び受信回路を同時にオン又はオフすることが一般的である。各アンテナに対応する送信回路及び受信回路が同時にオン又はオフされると、送信回路及び受信回路へ印加される電源電圧が過渡的に変動するため、ＥＶＭ（Error  Vector  Magnitude）等の信号品質値が規格値を満たさず、送信品質及び受信品質が劣化してしまう。このため、各アンテナに対応する受信回路のオンのタイミングをずらすことにより、電源電圧の過渡的な変動の幅を減少させ、受信品質の劣化を抑制することが検討されている。
【先行技術文献】
【特許文献】
【０００４】
【特許文献１】特開２００９−１３５６２３号公報
【発明の概要】
【発明が解決しようとする課題】
【０００５】
しかしながら、従来技術では、送信品質の劣化を抑制しつつ、消費電力の増大を抑制することまでは考慮されていない。
【０００６】
すなわち、従来技術では、各アンテナに対応する送信回路のオンのタイミングは同期しているため、送信信号に関して、ＥＶＭ等の信号品質値が規格値を満たさず、結果として、送信品質が劣化する恐れがある。
【０００７】
これに対して、各アンテナに対応する送信回路のオンのタイミングをずらすことにより、送信品質の劣化を抑制することが考えられる。しかしながら、単に各アンテナに対応する送信回路のオンのタイミングをずらす場合には、送信回路間の時間間隔によっては無線装置における消費電力が増大する恐れがある。
【０００８】
開示の技術は、送信品質の劣化を抑制しつつ、消費電力の増大を抑制することができる無線装置及びタイミング制御方法を提供することを目的とする。
【課題を解決するための手段】
【０００９】
本願の開示する無線装置は、一つの態様において、第１のアンテナから送信される送信信号の送信処理を実行する第１の送信回路と、第２のアンテナから送信される送信信号の送信処理を実行する第２の送信回路と、前記第１の送信回路のオン又はオフのタイミングと前記第２の送信回路のオン又はオフのタイミングとの間の時間間隔と、前記第１の送信回路又は前記第２の送信回路における信号品質値の劣化量と、自装置の消費電力との対応関係を記憶する記憶部と、前記第１のアンテナ又は前記第２のアンテナから送信される送信信号の信号品質値を測定する測定部と、前記測定された送信信号の信号品質値を規格値以下の範囲に収めるための劣化量を算出し、前記記憶部を参照して、前記算出された劣化量に対応し且つ消費電力を最小にする時間間隔だけ前記第１の送信回路のオン又はオフのタイミングをずらす制御部とを有する。
【発明の効果】
【００１０】
本願の開示する無線装置の一つの態様によれば、送信品質の劣化を抑制しつつ、消費電力の増大を抑制することができるという効果を奏する。
【図面の簡単な説明】
【００１１】
【図１】図１は、本実施例に係る基地局装置の一例を示すブロック図である。
【図２】図２は、ＥＶＭ換算情報の一例を示す図である。
【図３】図３は、変調方式毎のエンベロープを説明するための図である。
【図４】図４は、時間間隔ＤＢの一例を示す図である。
【図５】図５は、時間間隔ＤＢの他の一例を示す図である。
【図６】図６は、規格値ＤＢの一例を示す図である。
【図７】図７は、送信回路のオン及びオフの切り替えの具体例１を示す図である。
【図８】図８は、送信回路のオン及びオフの切り替えの具体例１を示す図である。
【図９】図９は、送信回路のオン及びオフの切り替えの具体例２を示す図である。
【図１０】図１０は、送信回路のオン及びオフの切り替えの具体例２を示す図である。
【図１１】図１１は、実施例に係るＲＥ装置の処理動作の一例を示すフローチャートである。
【図１２】図１２は、ＲＥ装置のハードウェア構成例を示す図である。
【発明を実施するための形態】
【００１２】
以下に、本願の開示する無線装置及びタイミング制御方法の実施例を図面に基づいて詳細に説明する。なお、この実施例により開示技術が限定されるものではない。
【実施例】
【００１３】
図１は、本実施例に係る基地局装置１の一例を示すブロック図である。図１に示す基地局装置１は、ＲＥＣ（Radio  Equipment  Control）装置１０と、ＲＥ（Radio  Equipment）装置３０とを有する。ＲＥ装置３０は、無線装置の一例である。ＲＥＣ装置１０とＲＥ装置３０とは、例えばＣｏｍｍｏｎ  Ｐｕｂｌｉｃ  Ｒａｄｉｏ  Ｉｎｔｅｒｆａｃｅ（ＣＰＲＩ）規格に基づく光伝送路によって接続されている。また、ＲＥＣ装置１０及びＲＥ装置３０には、送信区間と受信区間とが時間的に分割される時分割多重（ＴＤＤ：Time  Division  Duplex）方式が適用される。なお、以下では、説明を簡素化するために、ＲＥ装置３０のアンテナの数が２であるものとしているが、アンテナの数はこれに限定されるものではない。
【００１４】
ＲＥＣ装置１０は、送信データに対して符号化及び変調等のベースバンド処理を実行して送信信号を生成する。ここで、送信信号としては、ＲＥ装置３０のアンテナＡ１から送信される送信信号（以下、適宜「第１の送信信号」と呼ぶ。）と、アンテナＡ２から送信される送信信号（以下、適宜「第２の送信信号」と呼ぶ。）とが存在するものとする。ＲＥＣ装置１０は、生成した第１の送信信号及び第２の送信信号を、同じ光通信フレーム（例えば、ＣＰＲＩフレーム）にマッピングして、第１の送信信号及び第２の送信信号を、光伝送路を介してＲＥ装置３０へ送信する。
【００１５】
また、ＲＥＣ装置１０は、ＲＥ装置３０から送信された光通信フレームを受信し、受信した光通信フレームに含まれる受信信号に対して復調及び復号等のベースバンド処理を実行して受信データを取得する。ここで、受信信号としては、ＲＥ装置３０のアンテナＡ１から受信される受信信号（以下、適宜「第１の受信信号」と呼ぶ。）と、アンテナＡ２から受信される受信信号（以下、適宜「第２の受信信号」と呼ぶ。）とが存在するものとする。
【００１６】
ＲＥ装置３０は、ＲＥＣ装置１０から送信された第１の送信信号及び第２の送信信号に対して送信処理を施し、得られた無線周波数の第１の送信信号及び第２の送信信号をアンテナＡ１及びアンテナＡ２を介してそれぞれ送信する。また、ＲＥ装置３０は、アンテナＡ１及びアンテナＡ２を介してそれぞれ受信した第１の受信信号及び第２の受信信号に対して受信処理を施し、得られたベースバンドの第１の受信信号及び第２の受信信号をＲＥＣ装置１０へ送信する。さらに、ＲＥ装置３０は、ＲＥ装置３０の各アンテナ（つまり、アンテナＡ１又はアンテナＡ２）に対応する送信回路のオン又はオフのタイミングを制御し、各アンテナに対応する受信回路のオン又はオフのタイミングを制御する。
【００１７】
具体的には、ＲＥ装置３０は、光インタフェース回路３１と、送信回路３２，３３と、受信回路３４，３５と、サーキュレータ３６，３７と、アイソレータ３８，３９と、フィルタ４０，４１とを有する。送信回路３２、受信回路３４、サーキュレータ３６、アイソレータ３８及びフィルタ４０が１本のアンテナＡ１に対応し、送信回路３３、受信回路３５、サーキュレータ３７、アイソレータ３９及びフィルタ４１が他の１本のアンテナＡ２に対応する。また、ＲＥ装置３０は、電源４２と、電源スイッチ４３，４４，４５，４６とを有する。また、ＲＥ装置３０は、ＥＶＭ測定部４７と、変調方式推定部４８と、記憶部４９と、電源制御部５０とを有する。
【００１８】
光インタフェース回路３１は、ＲＥ装置３０から送信された光通信フレームを受信し、受信した光通信フレームに含まれる、第１の送信信号及び第２の送信信号を抽出する。光インタフェース回路３１は、抽出した第１の送信信号を送信回路３２へ出力し、抽出した第２の送信信号を送信回路３３へ出力する。また、光インタフェース回路３１は、受信回路３４，３５から出力される第１の受信信号及び第２の受信信号を、光通信フレーム（例えば、ＣＰＲＩフレーム）にマッピングして、第１の受信信号及び第２の受信信号を、光伝送路を介してＲＥ装置３０へ送信する。
【００１９】
送信回路３２は、電源スイッチ４３を介して電源４２と接続されており、電源スイッチ４３を介して電源電圧が印加される。送信回路３２は、光インタフェース回路３１から出力された第１の送信信号を受ける。そして、送信回路３２は、印加される電源電圧を用いて第１の送信信号に対して送信処理（ＤＡ（Digital  Analog）変換、アップコンバート及び増幅等）を施して、得られた無線周波数の第１の送信信号をサーキュレータ３６へ出力する。送信回路３２は、第１の送信回路の一例である。また、送信回路３３は、電源スイッチ４４を介して電源４２と接続されており、電源スイッチ４４を介して電源電圧が印加される。送信回路３３は、光インタフェース回路３１から出力された第２の送信信号を受ける。そして、第２の送信信号に対して送信処理（ＤＡ（Digital  Analog）変換、アップコンバート及び増幅等）を施して、得られた無線周波数の第２の送信信号をサーキュレータ３７へ出力する。送信回路３３は、第２の送信回路の一例である。
【００２０】
受信回路３４は、電源スイッチ４５を介して電源４２と接続されており、電源スイッチ４５を介して電源電圧が印加される。受信回路３４は、アイソレータ３８から出力される無線周波数の第１の受信信号を受ける。そして、受信回路３４は、印加される電源電圧を用いて第１の受信信号に対して受信処理（増幅、ダウンコンバート及びＡＤ（Analog  Digital）変換）を施して、得られたベースバンドの第１の受信信号を光インタフェース回路３１へ出力する。また、受信回路３５は、電源スイッチ４６を介して電源４２と接続されており、電源スイッチ４６を介して電源電圧が印加される。受信回路３５は、アイソレータ３８から出力される無線周波数の第２の受信信号を受ける。そして、受信回路３５は、印加される電源電圧を用いて第２の受信信号に対して受信処理（増幅、ダウンコンバート及びＡＤ（Analog  Digital）変換）を施して、得られたベースバンドの第２の受信信号を光インタフェース回路３１へ出力する。
【００２１】
サーキュレータ３６，３７は、少なくとも３つのポートを備え、１つのポートから入力された信号を次のポートへ出力する。すなわち、サーキュレータ３６，３７は、送信回路３２，３３から出力される第１の送信信号及び第２の送信信号をそれぞれアンテナＡ１，Ａ２側へ出力する。また、サーキュレータ３６，３７は、アンテナＡ１，Ａ２を介して受信された第１の受信信号及び第２の受信信号をそれぞれ受信回路３４，３５側へ出力する。
【００２２】
アイソレータ３８，３９は、サーキュレータ３６，３７から受信回路３４，３５側へ出力された第１の受信信号及び第２の受信信号を受ける。アイソレータ３８，３９は、第１の送信信号及び第２の送信信号がアンテナＡ１，Ａ２で反射された反射波を第１の受信信号及び第２の受信信号から除去し、反射波が除去された第１の受信信号及び第２の受信信号を受信回路３４，３５へ出力する。
【００２３】
フィルタ４０，４１は、サーキュレータ３６，３７からアンテナＡ１，Ａ２側へ出力された第１の送信信号及び第２の送信信号にフィルタ処理を施し、フィルタ処理が施された第１の送信信号及び第２の送信信号をアンテナＡ１，Ａ２を介して送信する。また、フィルタ４０，４１は、アンテナＡ１，Ａ２を介して受信された第１の受信信号及び第２の受信信号にフィルタ処理を施し、フィルタ処理が施された第１の受信信号及び第２の受信信号をサーキュレータ３６，３７へ出力する。
【００２４】
電源４２は、電源スイッチ４３，４４，４５，４６を介して送信回路３２，３３及び受信回路３４，３５へ電源電圧を供給する。
【００２５】
電源スイッチ４３，４４，４５，４６は、電源制御部５０の制御に従い、電源４２と送信回路３２，３３及び受信回路３４，３５の各々との間を電気的に接続又は遮断することにより、送信回路３２，３３及び受信回路３４，３５の各々のオン又はオフを切り替える。例えば、電源スイッチ４３は、送信回路３２をオンにする切替信号を電源制御部５０から受け取ると、電源４２と送信回路３２とを電気的に接続し、送信回路３２をオンに切り替える。また、例えば、電源スイッチ４３は、送信回路３２をオフにする切替信号を電源制御部５０から受け取ると、電源４２と送信回路３２とを電気的に遮断し、送信回路３２をオフに切り替える。
【００２６】
ＥＶＭ測定部４７は、アンテナＡ１又はアンテナＡ２から送信される送信信号（つまり、第１の送信信号又は第２の送信信号）の信号品質値であるＥＶＭを測定する。例えば、ＥＶＭ測定部４７は、第１の送信信号の電力とＥＶＭとの対応関係を示すＥＶＭ換算情報を予め保持しており、第１の送信信号の電力を測定し、測定された第１の送信信号の電力とＥＶＭ換算情報とを用いて、第１の送信信号のＥＶＭを測定する。
【００２７】
図２は、ＥＶＭ換算情報の一例を示す図である。図２において、横軸は、第１の送信信号の電力である送信電力［ｄＢ］を示し、縦軸は、ＥＶＭ［％］を示す。例えば、第１の送信信号の電力が最大値である０［ｄＢ］である場合、ＥＶＭ測定部４７によって測定される第１の送信信号のＥＶＭは、５［％］である。
【００２８】
また、ＥＶＭ測定部４７は、アンテナＡ１又はアンテナＡ２から受信される受信信号（つまり、第１の受信信号又は第２の受信信号）の信号品質値であるＥＶＭを測定する。例えば、ＥＶＭ測定部４７は、第１の受信信号のＥＶＭを示す情報をＲＥＣ装置１０等の上位装置から取得することによって、第１の受信信号のＥＶＭを測定する。
【００２９】
変調方式推定部４８は、アンテナＡ１又はアンテナＡ２から送信される送信信号（つまり、第１の送信信号又は第２の送信信号）、又はアンテナＡ１又はアンテナＡ２から受信される受信信号（つまり、第１の受信信号又は第２の受信信号）の変調方式を推定する。例えば、変調方式推定部４８は、第１の送信信号の振幅波形を示すエンベロープを取得し、取得した第１の送信信号のエンベロープを用いて、第１の送信信号の変調方式を推定する。
【００３０】
第１の送信信号のエンベロープ（つまり、振幅波形）の単位時間当たりの変化量は、図３に示すように、変調方式に応じて、異なる。図３は、変調方式毎のエンベロープを説明するための図である。例えば、第１の送信信号のエンベロープの単位時間当たりの変化量は、変調方式の変調多値数が大きくなるほど、大きくなる。図３の例では、第１の送信信号のエンベロープの単位時間当たりの変化量は、ＱＰＳＫ（Quadrature  Phase  Shift  Keying）、１６ＱＡＭ（16  Quadrature  Amplitude  Modulation）、６４ＱＡＭ及び２５６ＱＡＭの順に、大きくなる。したがって、変調方式推定部４８は、第１の送信信号のエンベロープの単位時間当たりの変化量を解析することにより、第１の送信信号の変調方式を推定することができる。
【００３１】
記憶部４９は、電源制御部５０によって実行される処理に用いられる種々の情報を記憶する。具体的には、記憶部４９は、時間間隔ＤＢ４９ａと、時間間隔ＤＢ４９ｂと、規格値ＤＢ３９ｃとを有する。
【００３２】
時間間隔ＤＢ４９ａは、送信回路３２のオン又はオフのタイミングと送信回路３３のオン又はオフのタイミングとの間の時間間隔と、送信回路３２又は送信回路３３におけるＥＶＭの劣化量と、ＲＥ装置３０の消費電力との対応関係を示すデータベースである。
【００３３】
図４は、時間間隔ＤＢ４９ａの一例を示す図である。図４に示す時間間隔ＤＢ４９ａは、横軸が送信回路３２のオフのタイミングと送信回路３３のオフのタイミングとの間の時間間隔［μｓｅｃ］であり、第１の縦軸がＥＶＭ劣化量［％］であり、第２の縦軸が消費電力［Ｗ］であるグラフを対応関係として記憶する。図４において、曲線１０１は、送信回路３２のオフのタイミングと送信回路３３のオフのタイミングとに異なる複数の時間間隔が設定された場合のＥＶＭ劣化量の推移を示す。また、曲線１０２は、送信回路３２のオフのタイミングと送信回路３３のオフのタイミングとに異なる複数の時間間隔が設定された場合の消費電力の推移を示す。図４に示した対応関係は、例えばＲＥ装置３０の試作機において、送信回路３２のオフのタイミングと送信回路３３のオフのタイミングとに異なる複数の時間間隔を設定した場合のＥＶＭ劣化量及び消費電力を実測することにより、得られる。図４から分かるように、送信回路３２のオフのタイミングと送信回路３３のオフのタイミングとの間の時間間隔が増加するほど、ＥＶＭ劣化量は減少し、且つ、消費電力は増加する。
【００３４】
図５は、時間間隔ＤＢ４９ａの他の一例を示す図である。図５に示す時間間隔ＤＢ４９ａは、横軸が送信回路３２のオンのタイミングと送信回路３３のオンのタイミングとの間の時間間隔［μｓｅｃ］であり、第１の縦軸がＥＶＭ劣化量［％］であり、第２の縦軸が消費電力［Ｗ］であるグラフを対応関係として記憶する。図５において、曲線１１１は、送信回路３２のオンのタイミングと送信回路３３のオンのタイミングとに異なる複数の時間間隔が設定された場合のＥＶＭ劣化量の推移を示す。また、曲線１１２は、送信回路３２のオンのタイミングと送信回路３３のオンのタイミングとに異なる複数の時間間隔が設定された場合の消費電力の推移を示す。図５に示した対応関係は、例えばＲＥ装置３０の試作機において、送信回路３２のオンのタイミングと送信回路３３のオンのタイミングとに異なる複数の時間間隔を設定した場合のＥＶＭ劣化量及び消費電力を実測することにより、得られる。図５から分かるように、送信回路３２のオンのタイミングと送信回路３３のオンのタイミングとの間の時間間隔が約２μｓｅｃ以下の範囲において、時間間隔が増加するほど、ＥＶＭ劣化量及び消費電力は共に減少する。一方、送信回路３２のオンのタイミングと送信回路３３のオンのタイミングとの間の時間間隔が約２μｓｅｃを超える範囲において、時間間隔が増加するほど、ＥＶＭ劣化量は増加し、且つ、消費電力は減少する。
【００３５】
時間間隔ＤＢ４９ｂは、受信回路３４のオン又はオフのタイミングと受信回路３５のオン又はオフのタイミングとの間の時間間隔と、受信回路３４又は受信回路３５におけるＥＶＭの劣化量と、ＲＥ装置３０の消費電力との対応関係を示すデータベースである。
【００３６】
規格値ＤＢ４９ｃは、複数の変調方式と、各変調方式に応じて異なるＥＶＭの規格値との対応関係を示すデータベースである。
【００３７】
図６は、規格値ＤＢ４９ｃの一例を示す図である。規格値ＤＢ４９ｃは、例えば、図６に示すように、対応関係として、変調方式とＥＶＭの規格値とを対応付けたテーブルを記憶する。変調方式は、送信信号（つまり、第１の送信信号又は第２の送信信号）、又は受信信号（つまり、第１の受信信号又は第２の受信信号）の変調方式であり、規格値ＤＢ４９ｃでは、ＱＰＳＫ、１６ＱＡＭ、６４ＱＡＭ及び２５６ＱＡＭが記憶されている。図６から分かるように、ＥＶＭの規格値は、変調方式の変調多値数が大きくなるほど、小さくなる。言い換えると、ＥＶＭの規格値以下の範囲は、変調方式の変調多値数が大きくなるほど、狭くなる。
【００３８】
電源制御部５０は、ＥＶＭ測定部４７によって測定された送信信号のＥＶＭを規格値以下の範囲に収めるための劣化量を算出する。電源制御部５０は、記憶部４９の時間間隔ＤＢ４９ａを参照して、算出された劣化量に対応し且つ消費電力を最小にする時間間隔を特定し、特定された時間間隔だけ送信回路３３のオン又はオフのタイミングから送信回路３２のオン又はオフのタイミングをずらす。例えば、電源制御部５０は、ＴＤＤ方式におけるＧＡＰ区間において、記憶部４９の時間間隔ＤＢ４９ａを参照して、送信回路３２のオン又はオフのタイミングをずらす。すなわち、電源制御部５０は、ＧＡＰ区間において、送信回路３３をオン又はオフにする切替信号を電源スイッチ４４へ出力した後、特定された時間間隔が経過した時点において、送信回路３２をオン又はオフにする切替信号を電源スイッチ４３へ出力する。なお、ＴＤＤ方式におけるＧＡＰ区間は、アンテナＡ１及びアンテナＡ２から信号が送信及び受信されない区間、つまり、送信区間と受信区間との間の区間である。
【００３９】
また、電源制御部５０は、ＥＶＭ測定部４７によって測定された受信信号のＥＶＭを規格値以下の範囲に収めるための劣化量を算出する。電源制御部５０は、記憶部４９の時間間隔ＤＢ４９ｂを参照して、算出された劣化量に対応し且つ消費電力を最小にする時間間隔を特定し、特定された時間間隔だけ受信回路３５のオン又はオフのタイミングから受信回路３４のオン又はオフのタイミングをずらす。例えば、電源制御部５０は、ＴＤＤ方式におけるＧＡＰ区間において、記憶部４９の時間間隔ＤＢ４９ｂを参照して、受信回路３４のオン又はオフのタイミングをずらす。すなわち、電源制御部５０は、ＧＡＰ区間において、受信回路３５をオン又はオフにする切替信号を電源スイッチ４６へ出力した後、特定された時間間隔が経過した時点において、受信回路３４をオン又はオフにする切替信号を電源スイッチ４５へ出力する。
【００４０】
ここで、電源制御部５０が送信信号又は受信信号のＥＶＭを規格値以下の範囲に収めるための劣化量を算出する処理について、より詳細に説明する。電源制御部５０は、記憶部４９の規格値ＤＢ４９ｃを参照して、変調方式推定部４８によって推定された送信信号又は受信信号の変調方式に対応するＥＶＭの規格値を選択する。そして、電源制御部５０は、選択されたＥＶＭの規格値以下の範囲に、ＥＶＭ測定部４７によって測定された送信信号又は受信信号のＥＶＭを収めるための劣化量を算出する。すなわち、電源制御部５０は、選択されたＥＶＭの規格値から、測定された送信信号又は受信信号のＥＶＭを減算することによって、劣化量を算出する。電源制御部５０によって算出された劣化量の符号が正である場合、その劣化量は、規格値に対するＥＶＭのマージンに相当し、電源制御部５０によって算出された劣化量の符号が負である場合、その劣化量は、規格値を超えたＥＶＭの量に相当する。
【００４１】
次に、図７〜図１０を参照して、電源制御部５０による送信回路３２，３３のオン及びオフの切り替えについて、具体例を挙げて説明しておく。
【００４２】
図７及び図８は、送信回路３２，３３のオン及びオフの切り替えの具体例１を示す図である。図７及び図８の最上段は、ＴＤＤ方式における信号の送信及び受信のタイミングの一例を示す。この例では、送信区間、ＧＡＰ区間、受信区間の順番で、区間が切り替えられるものとする。
【００４３】
まず、電源制御部５０が送信回路３２のオフのタイミングをずらさない場合を仮定する。この場合、電源制御部５０は、図７に示すように、送信区間からＧＡＰ区間に切り替わる際に、送信回路３２をオフにする切替信号を電源スイッチ４３へ出力すると共に、送信回路３３をオフにする切替信号を電源スイッチ４４へ出力する。これにより、送信回路３２と送信回路３３とが同時にオフに切り替えられる。送信回路３２と送信回路３３とが同時にオフに切り替えられると、送信回路３２に印加される電源電圧と送信回路３３に印加される電源電圧とが、それぞれ過渡的に変動し、最終的に０に収束する。しかしながら、送信回路３２，３３の各々の電源電圧の過渡的な変動幅が、比較的に大きいため、送信区間の終了時点において、送信回路３２，３３の各々におけるＥＶＭが劣化してしまう。
【００４４】
そこで、本実施例では、電源制御部５０は、送信回路３３のオフのタイミングから送信回路３２のオフのタイミングをずらす。すなわち、電源制御部５０は、図８に示すように、送信区間からＧＡＰ区間に切り替わる際に、送信回路３３をオフにする切替信号を電源スイッチ４４へ出力する。そして、電源制御部５０は、送信回路３３をオフにする切替信号を電源スイッチ４４へ出力した後、時間間隔ＤＢ４９ａを用いて特定された時間間隔ΔＴ１が経過した時点において、送信回路３２をオフにする切替信号を電源スイッチ４３へ出力する。これにより、送信回路３３がオフに切り替えられた時点から、時間間隔ΔＴ１が経過した時点において、送信回路３２がオフに切り替えられる。すなわち、送信回路３３のオフのタイミングから送信回路３２のオフのタイミングが時間間隔ΔＴ１だけずれる。送信回路３３のオフのタイミングから送信回路３２のオフのタイミングが時間間隔ΔＴ１だけずれると、送信回路３２，３３の各々の電源電圧の過渡的な変動幅が、図７に示した変動幅と比較して、減少する。このため、送信区間の終了時点において、送信回路３２，３３の各々におけるＥＶＭの劣化が抑制され、結果として、送信品質の劣化が抑制される。
【００４５】
ここで、上記の時間間隔ΔＴ１の一例を説明する。ＥＶＭ測定部４７によって測定された送信信号のＥＶＭが、５％であり、変調方式推定部４８によって推定された送信信号の変調方式が、２５６ＱＡＭである場合を想定する。規格値ＤＢ４９ｃによれば、２５６ＱＡＭに対応するＥＶＭの規格値は、３．５％であるので、送信信号のＥＶＭを３．５％以下の範囲に収めるための劣化量は、３．５−５＝−１．５％以下の範囲の値であれば良い。そして、図４に示した時間間隔ＤＢ４９ａによれば、−１．５％以下の劣化量に対応し且つ消費電力を最小にする時間間隔ΔＴ１は、約７μｓｅｃである。したがって、時間間隔ΔＴ１を約７μｓｅｃに設定することにより、送信信号のＥＶＭを規格値以下の範囲に収めることができ、且つ、消費電力を最小にすることが可能となる。
【００４６】
図９及び図１０は、送信回路３２，３３のオン及びオフの切り替えの具体例２を示す図である。図９及び図１０の最上段は、ＴＤＤ方式における信号の送信及び受信のタイミングの一例を示す。この例では、受信区間、ＧＡＰ区間、送信区間の順番で、区間が切り替えられるものとする。
【００４７】
まず、電源制御部５０が送信回路３２のオンのタイミングをずらさない場合を仮定する。この場合、電源制御部５０は、図９に示すように、受信区間からＧＡＰ区間に切り替わる際に、送信回路３２をオンにする切替信号を電源スイッチ４３へ出力すると共に、送信回路３３をオンにする切替信号を電源スイッチ４４へ出力する。これにより、送信回路３２と送信回路３３とが同時にオンに切り替えられる。送信回路３２と送信回路３３とが同時にオンに切り替えられると、送信回路３２に印加される電源電圧と送信回路３３に印加される電源電圧とが、それぞれ過渡的に変動し、最終的に所定値に収束する。しかしながら、送信回路３２，３３の各々の電源電圧の過渡的な変動幅が、比較的に大きいため、送信区間の開始時点において、送信回路３２，３３の各々におけるＥＶＭが劣化してしまう。
【００４８】
そこで、本実施例では、電源制御部５０は、送信回路３３のオンのタイミングから送信回路３２のオンのタイミングをずらす。すなわち、電源制御部５０は、図１０に示すように、受信区間からＧＡＰ区間に切り替わる際に、送信回路３３をオンにする切替信号を電源スイッチ４４へ出力する。そして、電源制御部５０は、送信回路３３をオンにする切替信号を電源スイッチ４４へ出力した後、時間間隔ＤＢ４９ａを用いて特定された時間間隔ΔＴ２が経過した時点において、送信回路３２をオンにする切替信号を電源スイッチ４３へ出力する。これにより、送信回路３３がオンに切り替えられた時点から、時間間隔ΔＴ２が経過した時点において、送信回路３２がオンに切り替えられる。すなわち、送信回路３３のオンのタイミングから送信回路３２のオンのタイミングが時間間隔ΔＴ２だけずれる。送信回路３３のオンのタイミングから送信回路３２のオンのタイミングが時間間隔ΔＴ２だけずれると、送信回路３２，３３の各々の電源電圧の過渡的な変動幅が、図９に示した変動幅と比較して、減少する。このため、送信区間の開始時点において、送信回路３２，３３の各々におけるＥＶＭの劣化が抑制され、結果として、送信品質の劣化が抑制される。
【００４９】
ここで、上記の時間間隔ΔＴ２の一例を説明する。ＥＶＭ測定部４７によって測定された送信信号のＥＶＭが、５％であり、変調方式推定部４８によって推定された送信信号の変調方式が、６４ＱＡＭである場合を想定する。規格値ＤＢ４９ｃによれば、６４ＱＡＭに対応するＥＶＭの規格値は、６％であるので、送信信号のＥＶＭを６％以下の範囲に収めるための劣化量は、６−５＝１％以下の範囲の値であれば良い。そして、図５に示した時間間隔ＤＢ４９ａによれば、１％以下の劣化量に対応し且つ消費電力を最小にする時間間隔ΔＴ２は、約６μｓｅｃである。したがって、時間間隔ΔＴ２を約６μｓｅｃに設定することにより、送信信号のＥＶＭを規格値以下の範囲に収めることができ、且つ、消費電力を最小にすることが可能となる。
【００５０】
次に、上記の構成を有するＲＥ装置３０の処理動作の一例について説明する。図１１は、実施例に係るＲＥ装置３０の処理動作の一例を示すフローチャートである。図１１の例では、送信回路３３のオンのタイミングから送信回路３２のオンのタイミングがずらされる場合を説明する。
【００５１】
ＲＥ装置３０において変調方式推定部４８は、アンテナＡ１又はアンテナＡ２から送信される送信信号の変調方式を推定する（ステップＳ１０１）。
【００５２】
電源制御部５０は、記憶部４９の規格値ＤＢ４９ｃを参照して、推定された送信信号の変調方式に対応するＥＶＭの規格値を選択する（ステップＳ１０２）。
【００５３】
ＥＶＭ測定部４７は、アンテナＡ１又はアンテナＡ２から送信される送信信号のＥＶＭを測定する（ステップＳ１０３）。
【００５４】
電源制御部５０は、測定された送信信号のＥＶＭを選択された規格値以下の範囲に収めるための劣化量を算出する（ステップＳ１０４）。
【００５５】
電源制御部５０は、ＧＡＰ区間を待機する（ステップＳ１０５）。電源制御部５０は、ＧＡＰ区間が到来すると（ステップＳ１０５；Ｙｅｓ）、記憶部４９の時間間隔ＤＢ４９ａを参照して、算出された劣化量に対応し且つ消費電力を最小にする時間間隔を特定する（ステップＳ１０６）。そして、電源制御部５０は、特定された時間間隔だけ送信回路３３のオンのタイミングをずらす（ステップＳ１０７）。
【００５６】
以上のように、本実施例によれば、送信信号のＥＶＭを規格値以下の範囲に収めるための劣化量を算出する。そして、本実施例によれば、複数の送信回路のオン又はオフのタイミング間の時間間隔とＥＶＭの劣化量と消費電力との対応関係を参照して、算出された劣化量に対応し且つ消費電力を最小にする時間間隔だけ各送信回路のオン又はオフのタイミングをずらす。このため、送信信号のＥＶＭを規格値以下の範囲に収めることができ、且つ、消費電力を最小にすることができる。結果として、送信品質の劣化を抑制しつつ、消費電力の増大を抑制することができる。
【００５７】
また、本実施例によれば、受信信号のＥＶＭを規格値以下の範囲に収めるための劣化量を算出する。そして、本実施例によれば、複数の受信回路のオン又はオフのタイミング間の時間間隔とＥＶＭの劣化量と消費電力との対応関係を参照して、算出された劣化量に対応し且つ消費電力を最小にする時間間隔だけ各受信回路のオン又はオフのタイミングをずらす。このため、受信信号のＥＶＭを規格値以下の範囲に収めることができ、且つ、消費電力を最小にすることができる。結果として、受信品質の劣化を抑制しつつ、消費電力の増大を抑制することができる。
【００５８】
なお、本実施例で図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【００５９】
さらに、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしてもよい。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしてもよい。
【００６０】
本実施例に係るＲＥ装置３０は、例えば、次のようなハードウェア構成により実現することができる。
【００６１】
図１２は、ＲＥ装置３０のハードウェア構成例を示す図である。図７に示すように、ＲＥ装置３０は、光モジュール２０１と、プロセッサ２０２と、メモリ２０３と、ＲＦ回路２０４，２０５とを有する。プロセッサ２０２の一例としては、ＣＰＵ、ＤＳＰ（Digital  Signal  Processor）、ＦＰＧＡ（Field  Programmable  Gate  Array）等が挙げられる。また、メモリ２０３の一例としては、ＳＤＲＡＭ（Synchronous  Dynamic  Random  Access  Memory）等のＲＡＭ（Random  Access  Memory）、ＲＯＭ（Read  Only  Memory）、フラッシュメモリ等が挙げられる。
【００６２】
そして、本実施例に係るＲＥ装置３０で行われる各種処理機能は、不揮発性記憶媒体などの各種メモリに格納されたプログラムをプロセッサで実行することによって実現してもよい。すなわち、ＥＶＭ測定部４７と、変調方式推定部４８と、電源制御部５０とによって実行される各処理に対応するプログラムがメモリ２０３に記録され、各プログラムがプロセッサ２０２で実行されてもよい。また、記憶部４９は、メモリ２０３によって実現される。また、光インタフェース回路３１は、光モジュール２０１によって実現される。また、送信回路３２と、受信回路３４と、サーキュレータ３６と、アイソレータ３８と、フィルタ４０とは、ＲＦ回路２０４によって実現される。また、送信回路３３と、受信回路３５と、サーキュレータ３７と、アイソレータ３９と、フィルタ４１とは、ＲＦ回路２０５によって実現される。
【符号の説明】
【００６３】
３０  ＲＥ装置
３１  光インタフェース回路
３２，３３  送信回路
３４，３５  受信回路
４２  電源
４３，４４，４５，４６  電源スイッチ
４７  ＥＶＭ測定部
４８  変調方式推定部
４９  記憶部
５０  電源制御部
【図１】
2018129578.tif 000003
【図２】
2018129578.tif 000004
【図３】
2018129578.tif 000005
【図４】
2018129578.tif 000006
【図５】
2018129578.tif 000007
【図６】
2018129578.tif 000008
【図７】
2018129578.tif 000009
【図８】
2018129578.tif 000010
【図９】
2018129578.tif 000011
【図１０】
2018129578.tif 000012
【図１１】
2018129578.tif 000013
【図１２】
2018129578.tif 000014